(57)【特許請求の範囲】
【請求項１】
相手端子金具が進入可能な角筒部を有する端子金具であって、
前記角筒部は、
底板と、
前記底板の両側縁から略直角に起立した第１・第２側板と、
前記第１側板の立ち上がり端縁から前記底板と略平行に折り曲げられて延出された天井板とを備えて構成され、
前記第２側板の立ち上がり端縁には前記天井板の外面に重ねられるように折り曲げられて延出された押さえ部が形成され、
前記天井板と前記第２側板のいずれか一方には被係止部が形成され、他方には前記被係止部の前後部位に係止可能なずれ止め部が形成されるとともに、前記ずれ止め部は前記天井板あるいは前記第２側板において、前記天井板の延出端縁あるいは前記押さえ部の延出端縁から幅方向内方へ離間した部位に配されていることを特徴とする端子金具。
【請求項２】
前記天井板の延出端部には前記角筒部の内方へ叩き出すことで叩き出し部が形成され前記押さえ部は前記叩き出し部の外面に重ねられて前記天井板と略面一をなすようにしてあり、
前記被係止部は、前記叩き出し部に形成された開口部であり、
前記ずれ止め部は、前記第２側板に形成され、前記開口部内に進入して前後の開口縁に係止可能であることを特徴とする請求項１に記載の端子金具。
【請求項３】
前記ずれ止め部は、前記押さえ部の延出端縁から内方へ離間した部位に略コの字状に入れられた切り込みの内側領域が、前記開口部内へ同開口部の前後幅と略同幅をもって進入するように曲げ加工して形成されていることを特徴とする請求項２に記載の端子金具。
【請求項４】
前記ずれ止め部は、前記押さえ部の延出端縁から内方へ離間した部位が、前記開口部内へ同開口部の前後幅と略同幅をもって進入するよう高さ方向からリブ状に突き出されることによって形成されていることを特徴とする請求項２に記載の端子金具。
【請求項５】
前記ずれ止め部は、前記第２側板が前記底板から立ち上がる高さ範囲で前記立ち上がり端縁寄りの部位が、前記開口部内へ同開口部の前後幅と略同幅をもって進入するように幅方向からリブ状に突き出されることによって形成されていることを特徴とする請求項２に記載の端子金具。
【請求項６】
前記端子金具は展開状態から加工されるとともに、展開状態にあるときには、キャリアに対して複数個が連鎖状に連結されており、
この連結状態において連鎖方向に隣接する端子金具同士は、前記押さえ部の延出端縁と前記天井板の延出端縁とが連鎖方向で対向することを特徴とする請求項１乃至請求項５のいずれか１項に記載の端子金具。
【発明の詳細な説明】
【技術分野】
【０００１】
本発明は端子金具に関するものである。
【背景技術】
【０００２】
従来より、端子金具の前部には折曲げ加工によって形成される角筒部が備えられていることが多い。そのような雌端子金具の従来技術として、下記特許文献１を挙げることができる。
【０００３】
ここに開示された雌端子金具の角筒部は、底板、底板の両側に立ち上げられた一対の側板、および両側板の立ち上がり端縁から折り曲げられた一対の天井壁からなっている。両天井壁のうちの一方の先端部は下方へ段差が形成され、他方の天井壁の先端部はこの段差部分に重ね合わされている。また、段差部分には係止孔が開口し、この係止孔へ他方の天井壁の先端部に屈曲形成された係止片を係止させることで、天井壁が前後方向へずれ動かないようにしている。
【先行技術文献】
【特許文献】
【０００４】
【特許文献１】特開２００４−２０６９１２号公報
【発明の概要】
【発明が解決しようとする課題】
【０００５】
しかし、上記したようなずれ止め構造を採用する場合には、次のような解決すべき点がある。すなわち、上記した雌端子金具においては、係止片が天井壁の端縁から外方へ突出して形成されるため、材料取りの観点からは好ましくない。
【０００６】
本発明は上記のような事情に基づいて完成されたものであって、歩留まりの向上を図ることができる端子金具を提供することを目的とする。
【課題を解決するための手段】
【０００７】
上記の目的を達成するための手段として、本発明の端子金具は、相手端子金具が進入可能な角筒部を有する端子金具であって、
角筒部は、
底板と、
底板の両側縁から略直角に起立した第１・第２側板と、
第１側板の立ち上がり端縁から底板と略平行に折り曲げられて延出された天井板とを備えて構成され、
第２側板の立ち上がり端縁には天井板の外面に重ねられるように折り曲げられて延出された押さえ部が形成され、
天井板と第２側板のいずれか一方には被係止部が形成され、他方には被係止部の前後部位に係止可能なずれ止め部が形成されるとともに、ずれ止め部は天井板あるいは第２側板において、天井板の延出端縁あるいは押さえ部の延出端縁から幅方向内方へ離間した部位に配されている構成としたところに特徴を有する。
【発明の効果】
【０００８】
本発明によれば、天井板あるいは第２側板のいずれかに形成されたずれ止め部が相手側に形成された被係止部の前後部位に係止するため、天井板が前後方向にずれるのを規制することができる。また、ずれ止め部を天井板の延出端縁あるいは第２側板の延出端縁において幅方向へ突出して形成するのではなく、延出端縁から内方へ離間した部位に形成して天井板あるいは第２側板の幅範囲内に設けるようにしたため、有利な材料取りを行うことができる。
【図面の簡単な説明】
【０００９】
【図１】実施例１に係る端子金具の平面図
【図２】図１のＡ−Ａ線断面図
【図３】同じくＢ−Ｂ線断面図
【図４】端子金具の側面図
【図５】同じく展開図
【図６】実施例２に係る端子金具の平面図
【図７】図６のＣ−Ｃ線断面図
【図８】実施例３に係る端子金具の平面図
【図９】図８のＤ−Ｄ線断面図
【図１０】端子金具の側面図
【発明を実施するための形態】
【００１０】
本発明における好ましい実施の形態を説明する。
（１）本発明の端子金具は、前記天井板の延出端部には前記角筒部の内方へ叩き出すことで叩き出し部が形成され前記押さえ部は前記叩き出し部の外面に重ねられて前記天井板と略面一をなすようにしてあり、前記被係止部は、前記叩き出し部に形成された開口部であり、前記ずれ止め部は、前記第２側板に形成され、前記開口部内に進入して前後の開口縁に係止可能な構成とすることが好ましい。
【００１１】
このような構成によれば、押さえ部は天井板に対し略面一で重ねられるため、端子金具の低背化を図ることができる。また、被係止部を押さえ部の下側に位置する叩き出し部の開口部とし、ずれ止め部をこの開口部の前後の開口縁に係止するようにしたため、ずれ止め部と被係止部との係止部分が押さえ部の外面に突出しない。したがって、このことも端子金具の低背化に寄与する。
【００１２】
（２）前記ずれ止め部は、前記押さえ部の延出端縁から内方へ離間した部位に略コの字状に入れられた切り込みの内側領域が、前記開口部内へ同開口部の前後幅と略同幅をもって進入するように曲げ加工して形成されるようにしてもよい。
このような構成によれば、押さえ部に形成した切り込み部分の内側領域を曲げて叩き出し部の開口部内に進入させることでずれ止め部が形成される。こうして形成されたずれ止め部が開口部の前後の開口縁に係止することで、天井板が前後にずれるのを規制することができる。
【００１３】
（３）前記ずれ止め部は、前記押さえ部の延出端縁から内方へ離間した部位が、前記開口部内へ同開口部の前後幅と略同幅をもって進入するよう高さ方向からリブ状に突き出されることによって形成されるようにしてもよい。
このような構成によれば、押さえ部の一部をリブ状に突き出して開口部内に進入させれば、ずれ止め部が形成される。こうして形成されたずれ止め部が、開口部の前後の開口縁に係止することで、天井板が前後にずれるのを規制することができる。
【００１４】
（４）前記ずれ止め部は、前記第２側板が前記底板から立ち上がる高さ範囲で前記立ち上がり端縁寄りの部位が、前記開口部内へ同開口部の前後幅と略同幅をもって進入するように幅方向からリブ状に突き出されることによって形成されるようにしてもよい。
このような構成によれば、第２側板の一部を幅方向から突き出して開口部内に進入させれば、ずれ止め部が形成される。こうして形成されたずれ止め部が、開口部の前後の開口縁に係止することで、天井板が前後にずれるのを規制することができる。
【００１５】
（５）前記端子金具は展開状態から加工されるとともに、展開状態にあるときには、キャリアに対して複数個が連鎖状に連結されており、
この連結状態において連鎖方向に隣接する端子金具同士は、前記押さえ部の延出端縁と前記天井板の延出端縁とが連鎖方向で対向するようにしてもよい。
【００１６】
このような構成によれば、展開状態で隣接する端子金具同士において、押さえ部の延出端縁と天井板の延出端縁とが対向する。その場合において、ずれ止め部は第２側板あるいは天井板においてこれらの延出端縁に突出形成するのではなく、延出端縁から内方に離間した部位に形成するようにしたため、押さえ部の延出端縁と天井板の延出端縁とを接近させることができ、したがって、端子金具の材料取りを有利にし、歩留まりの向上を達成することができる。
【００１７】
次に、本発明の端子金具を具体化した実施例１乃至３について、図面を参照しつつ説明する。
＜実施例１＞
図１乃至図５は本発明の実施例１に係る雌端子金具を示している。本実施例１に係る端子金具Ｔ１は、図５に示すように、キャリア１に対し多数個、長手方向に連鎖状に連結されたものとなっている。この状態における端子金具Ｔ１は、金属製の平板材を所定形状に打ち抜いて展開形態とされている。展開形態の端子金具Ｔ１は、曲げ・叩き出しの各工程を経た後にキャリア１からそれぞれ切り離されて所望形状の端子金具Ｔ１となる。
【００１８】
組み上げられた状態における端子金具Ｔ１は、前部に角筒部２を備えており、この角筒部２は前後方向に貫通する角筒状に形成されている。端子金具Ｔ１の後部には電線芯線に圧着されるワイヤバレル３と電線被覆に圧着されるインシュレーションバレル４とが形成されている。
【００１９】
角筒部２は、図２，３に示すように、底板５、第１側板６、第２側板７、天井板８とを備えて構成されている。図５に示すように、底板５の前縁には図示しない相手端子金具（雄端子金具のタブ）と接触可能な舌片９が前方へ延出して形成されている。底板５の前縁において、舌片９の幅方向両側には一対の溝部１０が切り込まれており、舌片９を角筒部２内に向けて後方へ折り返すことでができるようにしている。図４に示すように、舌片９の折り返し部分は弧状に湾曲し、舌片９はこの折返し部分を支点として高さ方向へ撓み可能である。舌片９の上面における先端部寄りには相手端子金具に対する舌片側接点部１１が叩き出しによって形成されている。図２に示すように、舌片側接点部１１は舌片９の上面において幅方向中央部（角筒部２の幅方向に関する中心線上に位置している。）に突出している。舌片側接点部１１は前端側が尖り、後端側に向けて徐々に幅広となる形状に形成されている。
【００２０】
図５等に示すように、底板５の長手方向（前後方向）中央部には凸字形状の抜き孔１２が開口している。抜き孔１２の開口縁のうち前縁でかつ幅方向両端部には過度撓み規制片１３が一対配されている。両過度撓み規制片１３は、図２，４に示すように、角筒部２の内方へ向けて略直角に起立し、舌片９が所定角度撓んだときに、舌片９の先端部に張り出し形成された幅広部９Ａの下面にそれぞれ当接可能となっている。なお、相手端子金具が正規の姿勢で挿入された状態では、過度撓み規制片１３は舌片９に当接しないような高さに設定されている。また、抜き孔１２は次述する補助ばね片１４を起立させた後はランスホールとなり、図示しないコネクタハウジングに形成されたランス（図示しない）を入り込ませて端子金具Ｔ１に係止させる。
【００２１】
補助ばね片１４は、抜き孔１２の開口縁のうち後縁から前方へ向けて撓み可能に延出形成されている。補助ばね片１４は、徐々に先細りとなるように形成されるとともに、図４に示すように、前端は上方へ向けて円弧状に突出し、常に舌片９の後端下面に当接するようにしてある（自然状態では僅かに離間し、舌片９の撓み開始後に当接するようにしてもよい。）。
【００２２】
図２，３に示すように、底板５の図示左側縁からは第１側板６が略直角に立ち上がり、図示右側縁からは第２側板７が略直角に立ち上がっている。第１側板６の上端縁（立ち上がり端縁）からは天井板８が折り曲げ形成されている。天井板８は第２側板７側へ向けて底板５と略平行に延出されている。図１〜図３に示すように、天井板８には相手端子金具と接触する天井板側接点部１７が設けられている。天井板側接点部１７は角筒部２の内方へ向けてリブ状に叩き出すことによって形成されている。天井板側接点部１７は、天井板８において幅方向に関する中心より第１側板６寄りに配されるとともに、前後方向に沿いつつ所定長さ範囲に亘って形成されている。また、天井板側接点部１７は断面形状が略半円形状をなすように叩き出され、その叩き出しの深さは角筒部２を構成する壁面の板厚とほぼ等しい設定となっている。
【００２３】
天井板８における延出端部には角筒部２の内方へ叩き出されて叩き出し部１８が形成されている。叩き出し部１８は、図１〜図３に示すように、天井板側接点部１７とは角筒部２の幅方向に関する中心線を挟んだ反対側に配され、かつ長手方向に長い略長方形状の領域（図５中、想像線で囲まれた領域）に亘って形成されている。叩き出し部１８の内面の高さは天井板側接点部１７とほぼ同じ高さとなっている。したがって、叩き出し部１８の内面の天井板側接点部１７とは共に相手端子金具の対向面と接触可能である。叩き出し部１８の外面の高さは、天井板８の一般面（天井板側接点部１７や叩き出し部１８の形成領域以外の面）の外面の高さより板厚に相当する高さ分だけ低くなっている。
【００２４】
図５に示すように、天井板８の延出端縁における長手方向の両端部には一対の突片１９が幅方向外方へ張り出している。上記した叩き出し部１８は両突片１９で挟まれる範囲に形成されている。また、天井板８の延出端縁である、叩き出し部１８の幅方向の側縁には開口部２０（被係止部）が設けられている。開口部２０は叩き出し部１８の側縁の前後方向の中央部を方形状に切り欠くことによって形成されている。
【００２５】
第２側板７の立ち上がり端縁における前後両端部には、天井板８側の両突片１９を支持する受け部２１が形成されている。第２側板７において両突片１９の間には押さえ部２２が幅方向外方へ張り出して形成されている。また、押さえ部２２の前後方向の両端部には凹溝１５が切り込まれているとともに、押さえ部２２は第２側板７の立ち上がり端縁を境にしてほぼ直角に折り曲げられ、叩き出し部１８の上面に重ねられている。これによって、押さえ部２２は天井板８、ひいては角筒部２全体の開き止めを行う。
【００２６】
押さえ部２２における前後方向の中央部には押さえ部２２の折り曲げ縁を跨ぐようにして略コの字状の切り込み２４が入れられている。このコの字状に切り込み２４が入れられた内側領域はずれ止め部２３を構成する。ずれ止め部２３は図５に示すように、押さえ部２２の幅方向の側縁（第２側板７の延出端縁）から幅方向内方へ離間した部位に設けられている。また、ずれ止め部２３の前後幅は開口部２０の前後幅より僅かに狭めに形成されている。
【００２７】
さらに、ずれ止め部２３は図３，５に示すように、押さえ部２２の幅方向の側縁寄りで同縁に平行な部位を折り曲げ縁として角筒部２の内方へ略直角に折り曲げられる。折り曲げ状態では、ずれ止め部２３は開口部２０に対し上方から進入し、その前後の側縁が開口部２０の前後の開口縁に係止する。このことによって、押さえ部２２と天井板８とが前後方向へ相対的にずれるのを規制することができる。なお、図３に示すように、ずれ止め部２３が開口部２０に係止している状態では、ずれ止め部２３の下端は叩き出し部１８の内面より下方に位置するようになっている。
【００２８】
図５に示すように、端子金具Ｔ１がキャリア１に対し展開状態で連鎖状に連結されているときには、押さえ部２２は隣接する端子金具Ｔ１の両突片１９間に位置し、かつ押さえ部２２の幅方向の端縁と天井板８の延出端縁とは前後方向に沿ってできるだけ近接した状態で対向した配置となっている。
【００２９】
上記のように構成された実施例１の端子金具Ｔ１によれば、ずれ止め部２３が開口部２０内に進入して、その前後縁が開口部２０の前後の開口縁に係止するため、押さえ部２２と天井板８との間が前後方向へ相対的なずれを生じることが規制される。したがって、外力の作用を受けても角筒部２を正規の形状に保持することができる。
【００３０】
また、ずれ止め部２３を押さえ部２２の延出端縁から内方へ離間した部位に形成するようにし、従来のようにずれ止め部２３が延出端縁から幅方向外方へ突出しないようにしたため、図５に示すように、隣接する端子金具Ｔ１間で、押さえ部２２の延出端縁と天井板８の延出端縁との間の間隔を縮めることができる。したがって、端子金具Ｔ１の材料取りに優れ、歩留まり向上に寄与することができる。
【００３１】
さらに、実施例１の端子金具Ｔ１では叩き出し部１８を設け、天井板８を一段下げた状態で押さえ部２２を重ね合わせるようにしている。このため、押さえ部２２を天井板８から上方へ突出させずに済むから、端子金具Ｔ１の低背化を図ることができる。また、前後のずれ止めを行うずれ止め構造のうち、被係止部である開口部２０を押さえ部２２より下位にある開口部２０とし、ここにずれ止め部２３を係止させるようにしている。これによって、ずれ止め構造を角筒部２の高さ範囲内に収めることができ、このことも端子金具Ｔ１の低背化に寄与する。
【００３２】
＜実施例２＞
図６及び図７は本発明の実施例２に係る端子金具Ｔ２を示している。本実施例と実施例１との相違点は、ずれ止め部の構成にある。実施例１ではずれ止め部２３を切起こしによって形成したが、本実施例では突き出しによって構成している。
【００３３】
本実施例においても、ずれ止め部２５は押さえ部２２の延出端縁から幅方向内方へ離間した部位に配され、具体的には開口部２０に対応する部位を、開口部２０へ向けて断面略Ｖ字形状をなして突き出すことによって形成されている。これによって、ずれ止め部２５は押さえ部２２の内面において、開口部２０の前後幅より僅かに短い幅寸法をもってリブ状に突出し、開口部２０に対し上方から進入する。その結果、ずれ止め部２５の前後部は開口部２０の前後の開口縁に係止して、押さえ部２２と天井板８との前後方向への相対的なずれを規制することができる。
他の構成は、実施例１と同様であり、もって同様の作用効果を奏することができる。
【００３４】
＜実施例３＞
図８乃至図１０は本発明の実施例３に係る端子金具Ｔ３を示している。本実施例と実施例２との相違点は、ずれ止め部２６が形成される位置である。実施例２のずれ止め部２５は押さえ部２２に形成されていたが、本実施例のずれ止め部２６は第２側板７の立ち上がり部分に形成されている。ずれ止め部２６は、第２側板７の立ち上がり端縁寄りの部位であって開口部２０の前後幅より僅かに短い前後幅をもって内方へ突き出し形成されている。これによって、ずれ止め部２６は第２側板７の内面において断面Ｖ字形状のリブ状をなして突出し、開口部２０に対し側方から進入する。その結果、ずれ止め部の前後部は開口部２０の前後の開口縁に係止して、押さえ部２２と天井板８との前後方向への相対的なずれを規制することができる。
【００３５】
＜他の実施例＞
本発明は上記記述及び図面によって説明した実施例に限定されるものではなく、例えば次のような実施例も本発明の技術的範囲に含まれる。
（１）上記実施例では、ずれ止め部２３，２５，２６を第２側板７側に配置し、被係止部（開口部２０）を天井板８側に配置したが、これとは逆の配置であってもよい。
（２）上記実施例では、被係止部を開口部２０としたが、他の構成、例えば切起こしによって形成された突片１９、あるいは叩き出しによって形成された突部といった、突出構造を利用してずれ止め部を係止させるようにしてもよい。
【符号の説明】
【００３６】
２…角筒部
５…底板
６…第１側板
７…第２側板
８…天井板
１８…叩き出し部
２０…開口部（被係止部）
２２…押さえ部
２３，２５，２６…ずれ止め部
Ｔ１，Ｔ２，Ｔ３…端子金具
【図１】
0005757430.tif 000002
【図２】
0005757430.tif 000003
【図３】
0005757430.tif 000004
【図４】
0005757430.tif 000005
【図５】
0005757430.tif 000006
【図６】
0005757430.tif 000007
【図７】
0005757430.tif 000008
【図８】
0005757430.tif 000009
【図９】
0005757430.tif 000010
【図１０】
0005757430.tif 000011